(57)【特許請求の範囲】
【請求項１】
単一又は複数のチャネル対応の処理機能を搭載したユニットを複数実装して構成した処理部と、該処理部の制御用のデータを格納したデータベースとを含む伝送装置に於いて、
前記データベースは、前記チャネルをワークチャネルとプロテクションチャネルとしてプロテクショングループを構成する情報を設定したプロテクショングループ情報テーブルと、前記プロテクショングループに属する複数のチャネルについてチャネル対応にワークチャネルかプロテクションチャネルかを管理するチャネル情報テーブルとを有し、
前記処理部は、前記プロテクショングループ情報テーブルと前記チャネル情報テーブルとの内容に従ってワークチャネルとプロテクションチャネルとをプロテクショングループとして選択切替えを行うセレクタ部を備えた
ことを特徴とする伝送装置。
【請求項２】
前記セレクタ部は、入力側のチャネル対応のセレクタと出力側のチャネル対応のスイッチ回路とを有し、前記セレクタは、前記プロテクショングループ情報テーブルの内容に従って前記スイッチ回路に入力するチャネルを選択接続する構成を有し、前記プロテクショングループに属する前記スイッチ回路は、前記チャネル情報テーブルの内容に従ってワークチャネルを出力側のチャネルに接続し且つ該ワークチャネル障害発生時にプロテクションチャネルを前記出力側のチャネルに切替接続する構成を有することを特徴とする請求項１記載の伝送装置。
【請求項３】
単一又は複数のチャネル対応の処理機能を搭載したユニットを複数実装して構成した処理部と、該処理部の制御用のデータを格納したデータベースとを含む伝送装置に於けるプロテクショングループ管理方法に於いて、
前記処理部に於ける前記チャネルについて、前記データベースに形成したプロテクショングループ情報テーブルに、単一又は複数のワークチャネルと単一又は複数のプロテクションチャネルとからなるプロテクショングループの情報を格納し、前記データベースに形成したチャネル情報テーブルに、前記プロテクショングループに属するチャネルがワークチャネルかプロテクションチャネルかを示す情報を格納してプロテショングループを管理し、前記プロテクショングループ情報テーブルと前記チャネル情報テーブルとの内容に従って前記処理部のセレクタ部を制御する過程を含む
ことを特徴とするプロテクショングループ管理方法。
【請求項４】
前記プロテクショングループを構成するチャネルの情報と、該プロテクショングループに属するチャネルをワークチャネルとするかプロテクションチャネルとするかの情報とを入力し、前記プロテクショングループ情報テーブルに、プロテクショングループに属するチャネル数と、該プロテクショングループのプロテクションチャネルとしてのチャネルの情報と、ワークチャネルとしてのチャネルの情報とを格納し、前記チャネル情報テーブルに、前記チャネル対応に、実装，未実装の情報と、プロテクショングループの情報と、ワークチャネルかプロテクションチャネルかを示す情報とを格納することを特徴とする請求項３記載のプロテクショングループ管理方法。
【請求項５】
前記プロテクショングループの組替えの要求により、組替元チャネルがプロテクショングループの設定有り、組替先チャネルのプロテクショングループの設定無し、且つ切替種別が同一と判定した時に、前記プロテクショングループ情報テーブルと前記チャネル情報テーブルとを更新する過程を含むことを特徴とする請求項３又は４記載のプロテクショングループ管理方法。
【請求項６】
前記プロテクショングループの追加要求により、追加チャネルのプロテクショングループ設定無し、追加先プロテクショングループが設定済み、且つ切替種別が同一又は異なる時に同一となるように変更可能の時に、前記プロテクショングループ情報テーブルと前記チャネル情報テーブルとを更新する過程を含むことを特徴とする請求項３又は４記載のプロテクショングループ管理方法。
【請求項７】
前記プロテクショングループの分割要求により、分割元プロテクショングループが設定済みで、該分割元プロテクショングループに於ける分割後のワークチャネル数が１以上、且つプロテクションチャネルが１以上の時に、分割可能として前記プロテクショングループ情報テーブルと前記チャネル情報テーブルとを更新する過程を含むことを特徴とする請求項３又は４記載のプロテクショングループ管理方法。
【発明の詳細な説明】
【０００１】
【発明の属する技術分野】
本発明は、単一又は複数のチャネル対応の処理機能を搭載したユニットを複数実装し、単一又は複数のチャネルをワークチャネルとし、単一又は複数のチャネルをプロテクションチャネルとして、プロテクショングループを形成し、プロテショングループ内のワークチャネルの障害発生時に、プロテクションチャネルに切替える冗長構成を有する伝送装置及びプロテクショングループの設定，変更等を容易にしたプロテクショングループ管理方法に関する。
【０００２】
【従来の技術】
伝送装置は、回線に接続するインタフェース・ユニットと、クロスコネクトや交換処理する処理ユニットと、各部を制御する制御ユニットと、電源供給等の電源ユニット等を含み、それぞれ所定のスロットに実装するものである。又各ユニットは、単一又は複数チャネル対応に処理する機能を搭載した構成を有するもので、複数のチャネルによりプロテクショングループを形成し、プロテクショングループ内のワークチャネルに障害が発生すると、プロテクションチャネルに切替える構成を備えている。
【０００３】
その場合、例えば、インタフェース・ユニットに於いては、プロテクションチャネルのインタフェース・ユニットと、ワークチャネルのインタフェース・ユニットとは、同一構成として、ユニット対応にワークチャネルとプロテクションチャネルとを設定するものであった。例えば、１対１のプロテクショングループを構成する場合に、単一チャネルの２個のインタフェース・ユニットを１組として実装することになる。又複数チャネルのインタフェース・ユニットを用いる場合は、同一チャネル数のインタフェース・ユニットを２個、１組として実装することになる。又ｎ対１のプロテクショングループを構成する場合は、単一チャネル又は複数チャネルの１個のインタフェース・ユニットを特定スロットに実装してプロテクションチャネルとし、他のｎ個のスロットに実装した単一チャネル又は複数チャネルのインタフェース・ユニットによりワークチャネルを構成することになる。
【０００４】
【発明が解決しようとする課題】
従来例の伝送装置に於いては、プロテクショングループを構成する場合に、スロット位置及びユニット種別を意識する必要があった。即ち、チャネル数の異なるユニットを含むプロテクショングループを構成することができないものがあった。従って、任意のチャネル構成のユニットを設けた場合、異なるチャネル構成のユニットは、プロテクショングループに属することができず、障害発生時の救済ができない問題があった。
【０００５】
又プロテクショングループを構成する為に、少なくとも同一のユニットを１組以上実装する必要があった。又プロテクショングループが予め固定的に定められることにより、例えば、０系と１系との一方に障害が発生すると、その障害を回復するまでは、冗長構成無しの状態となり、信頼性上の問題があった。
本発明は、任意の構成のユニットを用い、又所望の構成のプロテクショングループの構成，変更を可能として、信頼性の向上を図ることを目的とする。
【０００６】
【課題を解決するための手段】
本発明の伝送装置は、（１）単一又は複数のチャネル対応の処理機能を搭載したユニットを複数実装して構成した処理部１と、この処理部１の制御用のデータを格納したデータベース２とを含む伝送装置であって、データベース２は、チャネルをワークチャネルとプロテクションチャネルとしてプロテクショングループを構成する情報を設定したプロテクショングループ情報テーブル６と、プロテクショングループに属する複数のチャネルについてチャネル対応にワークチャネルかプロテクションチャネルかを管理するチャネル情報テーブル７とを有し、処理部１は、プロテクショングループ情報テーブル６とチャネル情報テーブル７との内容に従ってワークチャネルとプロテクションチャネルとをプロテクショングループとして選択切替えを行うセレクタ部（ＳＥＬ）１２，１３を備えている。
【０００７】
又（２）セレクタ部（ＳＥＬ）１２，１３は、入力側のチャネル対応のセレクタと出力側のチャネル対応のスイッチ回路とを有し、セレクタは、プロテクショングループ情報テーブル６の内容に従ってスイッチ回路に入力するチャネルを選択接続する構成を有し、プロテクショングループに属するスイッチ回路は、チャネル情報テーブル７の内容に従ってワークチャネルを出力側のチャネルに接続し且つワークチャネル障害発生時にプロテクションチャネルを出力側のチャネルに切替接続する構成を有するものである。
【０００８】
又（３）本発明のプロテクショングループ管理方法は、単一又は複数のチャネル対応の処理機能を搭載したユニットを複数実装して構成した処理部１と、処理部１の制御用のデータを格納したデータベース２とを含む伝送装置に於けるプロテクショングループ管理方法であって、処理部１に於けるチャネルについて、データベース２に形成したプロテクショングループ情報テーブル６に、単一又は複数のワークチャネルと単一又は複数のプロテクションチャネルとからなるプロテクショングループの情報を格納し、データベース２に形成したチャネル情報テーブル７に、プロテクショングループに属するチャネルがワークチャネルかプロテクションチャネルかを示す情報を格納してプロテショングループを管理し、プロテクショングループ情報テーブル６とチャネル情報テーブル７との内容に従って処理部１のセレクタ部１２，１３を制御する過程を含むものである。
【０００９】
又（４）プロテクショングループを構成するチャネルの情報と、このプロテクショングループに属するチャネルをワークチャネルとするかプロテクションチャネルとするかの情報とを入力し、プロテクショングループ情報テーブル６に、プロテクショングループに属するチャネル数と、プロテクショングループのプロテクションチャネルとしてのチャネルの情報と、ワークチャネルとしてのチャネルの情報とを格納し、チャネル情報テーブル７に、チャネル対応に、実装，未実装の情報と、プロテクショングループの情報と、ワークチャネルかプロテクションチャネルかを示す情報とを格納するものである。
【００１０】
又（５）プロテクショングループの組替えの要求により、組替元チャネルがプロテクショングループの設定有り、組替先チャネルのプロテクショングループの設定無し、且つ切替種別が同一と判定した時に、プロテクショングループ情報テーブル６とチャネル情報テーブル７とを更新する過程を含むものである。
【００１１】
又（６）プロテクショングループの追加要求により、追加チャネルのプロテクショングループ設定無し、追加先プロテクショングループが設定済み、且つ切替種別が同一又は異なる時に同一となるように変更可能の時に、プロテクショングループ情報テーブル６とチャネル情報テーブル７とを更新する過程を含むものである。
【００１２】
又（７）プロテクショングループの分割要求により、分割元プロテクショングループが設定済みで、この分割元プロテクショングループに於ける分割後のワークチャネル数が１以上、且つプロテクションチャネルが１以上の時に、分割可能として、プロテクショングループ情報テーブル６とチャネル情報テーブル７とを更新する過程を含むものである。
【００１３】
【発明の実施の形態】
図１は本発明の実施の形態の説明図であり、１は伝送装置の処理部、２はデータベース、３はプロテクション情報管理部、４は切替制御部、５はコマンド入出力部、６はプロテクショングループ情報テーブル、７はチャネル情報テーブル、８はプロテクション情報部、１１，１５はインタフェース部（ＩＦ）、１２，１４はセレクタ部（ＳＥＬ）、１３はクロスコネクト部（ＸＣ）を示す。
【００１４】
伝送装置の処理部１は、クロスコネクト部１３を含む場合を示すが、回線交換，パケット交換等の交換処理・ユニットを含む構成とすることも可能である。又インタフェース部１１，１５にそれぞれネットワーク側の回線が接続され、インタフェース部１１，１５とクロスコネクト部１３との間にセレクタ部１２，１４を設ける。各部はそれぞれ単一又は複数のユニットにより構成し、スロットに実装することにより相互の接続が行われる。以下インタフェース部１１，１５についてプロテクショングループの構成，変更等について説明する。
【００１５】
又処理部１をハードウェア構成とすると、データベース２とプロテクション情報管理部３と切替制御部４とコマンド入出力部５とは、ソフトウェア構成に相当する。このソフトウェア構成のデータベース２は、プロテクション情報部８としてのプロテクショングループ情報テーブル６と、チャネル情報テーブル７とを含むものである。又プロテクション情報管理部３は、プロテクショングループ情報の生成，削除，更新等を行うものである。又切替制御部４は、プロテクショングループの切替動作を行うものである。又コマンド入出力部５は、保守端末装置等に相当し、ユーザ要求によるコマンド入力操作やそれに対する応答の表示等を行うものである。なお、障害発生時にセレクタ１２，１３等を制御する構成は図示を省略しているが、既に知られている各種の手段を適用することができる。
【００１６】
図２はテーブルの説明図であり、（Ａ）はユニットの実装状態を示し、ｓ１〜ｓ４はスロット、ｕ１〜ｕ４はユニット、実線丸印のチャネルｃｈ１，ｃｈ２，ｃｈ５，ｃｈ７，ｃｈ８は実装状態、点線丸印のチャネルｃｈ３，ｃｈ４，ｃｈ６は未実装状態を示す。即ち、ユニットｕ２はスロットｓ２に対して未実装状態であり、又ユニットｕ３は、チャネルｃｈ５の１チャネル構成で、他のユニットは２チャネル構成の場合を示す。
【００１７】
又（Ｂ）はチャネル情報テーブルの説明図であり、ｅｎｔはチャネルのエントリ情報で、ＴＲＵＥはプロテクショングループＰＧの設定が可能であることを示し、ＦＡＬＳＥはチャネル未実装等によりプロテクショングループＰＧの設定が不可能であることを示す。又ｐｇはプロテクショングループ情報、ｗｐはワーク（ｗｏｒｋ）／プロテクション（ｐｒｏｔｅｃｔｉｏｎ）チャネル情報、ｉｎｔｅｒ ｃｈは内部チャネル情報を示す。
【００１８】
又（Ｃ）はプロテクショングループ情報テーブルの説明図であり、ｐｇ ｋｉｎｄは切替種別を示し、ＳＷ ＩＶＳ１は１：１、ＳＷ １ＰＬＵＳ１は１＋１、ＳＷ ＭＶＳＮはｍ：ｎの切替種別を示す。又ｃｈ ｎｕｍはプロテクショングループに登録されているチャネル数、ｐｒｏｔ ｃｈ１〜ｐｒｏｔ ｃｈｎは、プロテクションチャネル１〜ｎ、ｗｏｒｋ ｃｈ１〜ｗｏｒｋ ｃｈｎはワークチャネル１〜ｎを示す。
【００１９】
図３はテーブル初期値の説明図であり、（Ａ）は図２の（Ａ）のユニット実装状態に対応したチャネル情報テーブルの初期値、（Ｂ）は図２の（Ａ）のユニット実装状態に対応したプロテクショングループ情報テーブルの初期値を示し、図２の（Ａ）に示すように、チャネルｃｈ３，ｃｈ４，ｃｈ６は未実装の状態であるから、チャネルのエントリ情報ｅｎｔは、チャネルｃｈ３，ｃｈ４，ｃｈ６はＦＡＬＳＥ、チャネルｃｈ１，ｃｈ２，ｃｈ５，ｃｈ７，ｃｈ８はＴＲＵＥとなる。又プロテクショングループｐｇが構成されていないので、ＮＯ ＰＧとなり、又ワーク／プロテクションチャネル情報ｗｐは、総てワークチャネルｗｏｒｋ ｃｈ１とした場合を示す。又内部チャネルｉｎｔｅｒ ｃｈは、チャネルｃｈ１〜ｃｈ８に対応してｉｃｈ１〜ｉｃｈ８とした場合を示す。
【００２０】
又（Ｂ）はプロテクショングループ情報テーブルの初期値を示し、プロテクショングループｐｇ１〜ｐｇ４について、切替種別ｐｇ ｋｉｎｄは、プロテクショングループが構成されていないので、ＮＯ ＰＧとなる。又プロテクショングループに登録されているチャネル数ｃｈ ｎｕｍは０、他のプロテクションチャネル及びワークチャネルの項目も総て０となる。
【００２１】
図４はセレクタ部の説明図であり、８チャネル構成の伝送装置の場合で、図１のセレクタ部１２，１４に相当する。又ＳＥＬ１〜ＳＥＬ８はセレクタ、ＳＷ１〜ＳＷ８はスイッチ回路を示し、入力側（インタフェース部側）のチャネルｃｈ１〜ｃｈ８と、出力側（クロスコネクト部側）のチャネル、即ち、内部チャネルｉｃｈ１〜ｉｃｈ９とが太線で示すように対応している状態を示す。なお、点線で示すチャネルｃｈ３，ｃｈ４，ｃｈ６は、前述のように未実装状態であることを示す。
【００２２】
前述のような初期状態に於いて、保守端末等からユーザ要求としてコマンド入出力部５に、図５の（Ａ）に示す設定コマンド、即ち、切替種別が１：１、チャネルｃｈ１をワーク（ｗｏｒｋ）、チャネルｃｈ８はプロテクション（ｐｒｏｔｅｃｔｉｏｎ）とした情報が入力されると、コマンド文法等をチェックし、チェックＯＫの場合、プロテクション情報管理部３の制御により、プロテクショングループ情報テーブル６に、図５の（Ｂ）に示す内容が書込まれる。即ち、プロテクショングループｐｇ１の切替種別ｐｇ ｋｉｎｄは、ＳＷ １ＶＳ１で１：１の切替種別を示し、プロテクショングループに登録されているチャネル数ｃｈ ｎｕｍは２、ワークチャネルｗｏｒｋ ｃｈ１は、チャネルｃｈ１となる。
【００２３】
又チャネル情報テーブル７は、図５の（Ｃ）に示す内容が書込まれる。即ち、チャネルｃｈ１については、エントリ情報ｅｎｔがＴＲＵＥで、プロテクショングループｐｇはＰＧ１、ワーク／プロテクションチャネル情報ｗｐはワークチャネルｗｏｒｋ ｃｈ１、内部チャネルｉｎｔｅｒ ｃｈはｉｃｈ１となり、チャネルｃｈ８については、エントリ情報ｅｎｔがＴＲＵＥで、プロテクショングループｐｇはＰＧ１、ワーク／プロテクションチャネル情報ｗｐはプロテクションチャネルｐｒｏｔ ｃｈ、内部チャネルｉｎｔｅｒ ｃｈはプロテクションチャネルｐｒｏｔ ｃｈとなる。
【００２４】
設定コマンドに従ってプロテクショングループ情報テーブル６とチャネル情報テーブル７との内容が図５の（Ｂ），（Ｃ）に示す内容となると、その内容を基に、切替制御部４は、セレクタ部１２，１４を制御する。それにより、例えば、図６のセレクタＳＥＬ８により、チャネルｃｈ８とスイッチ回路ＳＷ１との間を選択接続する。従って、スイッチ回路ＳＷ１は、プロテクショングループＰＧ１のワークチャネルｃｈ１を内部チャネルｉｃｈ１に接続し、ワークチャネルｃｈ１の障害発生により、図示を省略した制御経路によりスイッチ回路ＳＷ１を制御し、内部チャネルｉｃｈ１に対して、ワークチャネルｃｈ１からプロテクションチャネルｃｈ８に切替接続する。
【００２５】
図７は本発明の実施の形態の設定処理のフローチャートを示し、ユーザからのプロテクショングループＰＧの設定要求があると、コマンド入出力部５（図１参照）は、コマンド文法をチェックし（Ａ１）、ＮＧの場合は、ユーザにプロテクショングループＰＧ設定エラーを通知する（Ａ８）。コマンド文法ＯＫの場合、指定チャネルのエントリ状態をチェックし（Ａ２）、エントリ無しの場合、即ち、ｅｎｔ＝ＦＡＬＳＥの場合、ユーザにプロテクショングループＰＧ設定エラーを通知する（Ａ８）。
【００２６】
エントリ有りの場合、即ち、ｅｎｔ＝ＴＲＵＥの場合、指定チャネルのプロテクショングループの設定状態をチェックし（Ａ３）、プロテクショングループＰＧの設定がある場合、即ち、１：１の切替種別のプロテクショングループであるから、他のプロテクショングループと組合せることができないので、ユーザにプロテクショングループＰＧ設定エラーを通知する（Ａ８）。又プロテクショングループＰＧ設定無しの場合、指定切替種別のチェックを行い（Ａ４）、ＮＧの場合は、ユーザにプロテクショングループＰＧ設定エラーを通知する（Ａ８）。
【００２７】
又指定切替種別チェックＯＫの場合は、プロテクショングループ設定情報を、チャネル情報テーブル７とプロテクショングループ情報テーブル６とに書込み（Ａ５）、チャネル情報テーブル７とプロテクショングループ情報テーブル６との内容を基にハードウエアへ状態設定する（Ａ６）。即ち、図１に於いては、セレクタ部１２，１４の選択制御を行う。そして、ユーザにプロテクショングループＰＧの設定完了を通知する（Ａ７）。
【００２８】
図８は１：Ｎの切替種別追加の説明図であり、（Ａ）はプロテクショングループ設定コマンドのパラメータを示し、切替種別は１：Ｎ、チャネル情報とワーク／プロテクション（ｗｏｒｋ／ｐｒｏｔｅｃｔｉｏｎ）情報は、チャネルｃｈ２をプロテクションチャネル、チャネルｃｈ５，ｃｈ７をワークチャネルとした場合を示す。
【００２９】
このプロテクショングループ設定コマンドに従って、図５の（Ｂ）に示すプロテクショングループ情報テーブル６の内容に追加されることにより、図８の（Ｂ）に示す内容となる。即ち、プロテクショングループｐｇ２として、切替種別ｐｇ ｋｉｎｄはＳＷ ＭＶＳＮ、プロテクショングループに登録されたチャネル数ｃｈ ｎｕｍは３、プロテクションチャネルｃｈ１は、チャネルｃｈ２、ワークチャネルｗｏｒｋ ｃｈ１，ｗｏｒｋ ｃｈ２は、それぞれチャネルｃｈ５，ｃｈ７となる。
【００３０】
又チャネル情報テーブル７は、図５の（Ｃ）に示す内容に追加されて、図９の（Ｃ）に示す内容となる。即ち、チャネルｃｈ２については、プロテクショングループｐｇはＰＧ２、ワーク／プロテクションチャネル情報ｗｐはプロテクションチャネルｐｒｏｔ ｃｈ、内部チャネルｉｎｔｅｒ ｃｈは、プロテクションチャネルｐｒｏｔ ｃｈとし、チャネルｃｈ５については、プロテクショングループｐｇはＰＧ２、ワーク／プロテクションチャネル情報ｗｐはワークチャネルｗｏｒｋ ｃｈ１、内部チャネルｉｎｔｅｒ ｃｈは、ｉｃｈ５、チャネルｃｈ７については、プロテクショングループｐｇはＰＧ２、ワーク／プロテクションチャネル情報ｗｐはワークチャネルｗｏｒｋ ｃｈ１、内部チャネルｉｎｔｅｒ ｃｈは、ｉｃｈ７とする。
【００３１】
図１０は追加設定によるセレクタ部の説明図であり、前述のプロテクショングループ情報テーブル６とチャネル情報テーブル７との内容とを基に、切替制御部４によりセレクタＳＥＬ２が制御されて、チャネルｃｈ２と、内部チャネルｉｃｈ５，ｉｃｈ７対応のスイッチ回路ＳＷ５，ＳＷ７と間を選択接続する。従って、チャネルｃｈ５，ｃｈ７に対してチャネルｃｈ２をプロテクションチャネルとしたプロテクショングループを形成することができる。それにより、例えば、チャネルｃｈ５に障害が発生すると、図示を省略した制御経路に従ってスイッチ回路ＳＷ５を制御し、このスイッチ回路ＳＷ５を介して、ワークチャネルとしてのチャネルｃｈ５と内部チャネルｉｃｈ５との間の接続を、プロテクションチャネルとしてのチャネルｃｈ２と内部チャネルｉｃｈ５との間の接続に切替えらることができる。
【００３２】
図１１は２チャネル構成ユニット実装によるチャネル情報テーブルの説明図であり、図２の（Ａ）に示すスロットｓ２に、チャネルｃｈ３，ｃｈ４の２チャネル構成のユニットｕ２を実装することにより、図９の（Ｃ）に示すチャネル情報テーブル７が、図１１に示す内容に更新される。即ち、チャネルｃｈ３，ｃｈ４のエントリ情報ｅｎｔはＴＲＵＥとなる。なお、ユニットｕ３は、チャネルｃｈ５の１チャネル構成であり、従って、チャネルｃｈ６は未実装であるから、エントリ情報ｅｎｔはＦＡＬＳＥのままとなる。
【００３３】
図１２はプロテクショングループ変更の説明図であり、（Ａ）はプロテクショングループ変更コマンドのパラメータを示し、変更元チャネルｃｈ８を、変更先チャネルｃｈ３に変更し、切替種別を１＋１とした場合を示し、（Ｂ）はプロテクショングループ情報テーブル、（Ｃ）はチャネル情報テーブルを示す。
【００３４】
図１２の（Ｂ）のプロテクショングループ情報テーブル６は、図８の（Ｂ）に示す内容のプロテクショングループｐｇ１のプロテクションチャネルｃｈ８をチャネルｃｈ３に変更した内容となる。又図１２の（Ｃ）のチャネル情報テーブル７は、図９の（Ｃ）に示すチャネル情報テーブル７のチャネルｃｈ３のエントリ情報ｅｎｔをＦＡＬＳＥからＴＲＵＥに、又プロテクショングループｐｇをＮＯ ＰＧからＰＧ１に、又ワーク／プロテクションチャネル情報ｗｐを、ワークチャネルｗｏｒｋ ｃｈ１からプロテクションチャネルｐｒｏｔ ｃｈに、又内部チャネル情報ｉｎｔｅｒ ｃｈをｉｃｈ３からプロテクションチャネルｐｒｏｔ ｃｈにそれぞれ更新する。
【００３５】
又チャネル情報テーブル７のチャネルｃｈ８についても、プロテクショングループｐｇをＮＯ ＰＧに、又ワーク／プロテクションチャネル情報ｗｐをプロテクションチャネルｐｒｏｔ ｃｈからワークチャネルｗｏｒｋ ｃｈ１に、又内部チャネル情報ｉｎｔｅｒ ｃｈのプロテクションチャネルｐｒｏｔ ｃｈを内部チャネルｉｃｈ８にそれぞれ更新する。
【００３６】
図１３はプロテクショングループ変更によるセレクタ部の説明図であり、前述のプロテクショングループ情報テーブル６及びチャネル情報テーブル７の更新により、セレクタ部ＳＥＬ３，ＳＥＬ８が制御されて、スイッチ回路ＳＷ１は、チャネルｃｈ１をワークチャネル、チャネルｃｈ３をプロテクションチャネルとしたプロテクショングループとして、ワークチャネルの障害発生時に、プロテクションチャネルに切替える制御を行うものである。又スイッチ回路ＳＷ３は、セレクタＳＥＬ８を介してチャネルｃｈ８と内部チャネルｉｃｈ３との間を接続することになる。
【００３７】
図１４はプロテクショングループ変更のフローチャートを示し、ユーザからのプロテクショングループＰＧの変更要求により、コマンド入出力部５（図１参照）は、コマンド文法チェックを行い（Ｂ１）、チェックＮＧの場合は、ユーザにエラー通知を行う（Ｂ９）。又チェックＯＫの場合は、プロテクション情報管理部３は、チャネル情報テーブル７を参照して、指定チャネルのエントリ状態をチェックする（Ｂ２）。
【００３８】
エントリ情報ｅｎｔ無しの場合、即ち、ＦＡＬＳＥの場合は、ユーザにエラー通知を行う（Ｂ９）。又エントリ情報ｅｎｔがＴＲＵＥの場合、組替元チャネル（変更元チャネル）のプロテクショングループ設定状態をチェックする（Ｂ３）。プロテクショングループＰＧ無しの場合は、ユーザにエラー通知を行う（Ｂ９）。又プロテクショングループＰＧ有りの場合は、組替先チャネル（変更先チャネル）のプロテクショングループ設定情報をチェックする（Ｂ４）。組替先チャネルのプロテクショングループＰＧ有りの場合は、ユーザにエラー通知を行う（Ｂ９）。又組替先チャネルのプロテクショングループＰＧ無しの場合は、指定切替種別をチェックする（Ｂ５）。
【００３９】
指定切替種別チェックＮＧの場合は、ユーザにエラー通知し（Ｂ９）、ＯＫの場合は、プロテクショングループ設定情報をチャネル情報テーブル７とプロテクショングループ情報テーブル６に書込み（Ｂ６）、チャネル情報テーブル７とプロテクショングループ情報テーブル６の内容を基に、ハードウェアへの状態設定、即ち、セレクタ部１２，１４の対応するセレクタＳＥＬ１〜ＳＥＬ８を制御して、プロテクショングループの変更を行い、このコマンドに基づく設定が完了すると、ユーザに設定完了を通知する（Ｂ８）。
【００４０】
図１５はチャネル追加の説明図であり、（Ａ）はプロテクショングループに対するチャネル追加コマンドのパラメータを示し、追加先プロテクショングループＰＧとしてチャネルｃｈ２、追加チャネルとしてチャネルｃｈ４、ワーク／プロテクションチャネル情報ｗｐとして、ワークチャネルとすると、プロテクショングループ情報テーブル６は、図１２の（Ｂ）に示すプロテクショングループ情報テーブル６に対して、プロテクショングループｐｇ２に、ワークチャネルｗｏｒｋ ｃｈ３としてチャネルｃｈ４を追加した内容となる。又プロテクショングループに登録されたチャネル数ｃｈ ｎｕｍは、３から４に変更となる。即ち、図１５の（Ｂ）に示す内容となる。
【００４１】
又チャネル情報テーブル７は、図１２の（Ｃ）に示すチャネル情報テーブル７に対して、チャネルｃｈ４のプロテクショングループｐｇのＮＯ ＰＧをＰＧ２に、ワーク／プロテクションチャネル情報ｗｐのワークチャネルｗｏｒｋ ｃｈ１をｗｏｒｋ ｃｈ３に変更して、図１５の（Ｃ）に示す内容とする。
【００４２】
図１６はチャネル追加によるセレクタ部の説明図であり、前述のプロテクショングループ情報テーブル６及びチャネル情報テーブル７の内容に従って、図１３に示す状態から、セレクタＳＥＬ２が制御されて、チャネルｃｈ４，ｃｈ５，ｃｈ７をワークチャネルとし、チャネルｃｈ２をプロクテションチャネルとしたプロテクショングループＰＧ２となる。
【００４３】
図１７はチャネル追加のフローチャートを示し、ユーザからのワークチャネル設定要求に従って、コマンド入出力部５（図１参照）は、コマンド文法のチェックを行い（Ｃ１）、チェックＯＫの場合は、指定チャネルのエントリ状態をチェックし（Ｃ２）、エントリ情報ｅｎｔ有りの場合は、追加チャネルのプロテクショングループ情報をチェックし（Ｃ３）、プロテクショングループＰＧ設定無しの場合は、追加先プロテクショングループ設定状態をチェックし（Ｃ４）、追加先プロテクショングループＰＧが設定されている場合は、追加先プロテクショングループの切替種別がｍ：ｎか否かをチェックする（Ｃ５）。
【００４４】
切替種別がｍ：ｎでない場合は、追加先プロテクショングループの切替種別をｍ：ｎに変更し（Ｃ７）、又ｍ：ｎの場合は、そのままとして、切替種別ｍ：ｎによるプロテクショングループ設定情報をチャネル情報テーブル７及びプロテクショングループ情報テーブル６に書込む（Ｃ６）。
【００４５】
そして、チャネル情報テーブル７及びプロテクショングループ情報テーブル６の内容を基に、ハードウェアへの状態設定（Ｃ８）、即ち、セレクタ部１２，１４の対応するセレクタＳＥＬ１〜ＳＥＬ８を制御して、例えば、図１６に示すセレクタ部の構成のように、プロテクショングループの追加を行う。このコマンドに基づく設定が完了すると、ユーザに設定完了を通知する（Ｃ９）。
【００４６】
又ステップ（Ｃ２），（Ｃ３），（Ｃ４）に於いて、エントリ無しの場合、追加チャネルにプロテクショングループＰＧの設定有りの場合、追加先プロテクショングループとして指定されたグループが設定されていない場合、ユーザにエラー通知を行う（Ｃ１０）。
【００４７】
図１８はプロテクショングループ分割の説明図であり、（Ａ）はプロテクショングループ分割コマンドのパラメータを示し、分割元チャネルのチャネル情報はｃｈ５、ワーク／プロテクションチャネル情報ｗｐはワークチャネル、追加チャネルのチャネル情報はｃｈ８、ワーク／プロテクションチャネル情報ｗｐはプロテクションチャネル、切替種別は１：１とした場合を示す。
【００４８】
このプロテクショングループ分割コマンドにより、プロテクショングループ情報テーブル６は図１８の（Ｂ）、チャネル情報テーブル７は図１８の（Ｃ）に示す内容となる。即ち、プロテクショングループｐｇ３として、切替種別ｐｇ ｋｉｎｄはＳＷ １ＶＳ１、プロテクショングループに登録されたチャネル数ｃｈ ｎｕｍは２、プロテクションチャネルｐｒｏｔ ｃｈ１はチャネルｃｈ８、ワークチャネルｗｏｒｋ ｃｈ１はチャネルｃｈ５となる。
【００４９】
又図１５の（Ｂ）に示すプロテクショングループ情報テーブル６のプロテクショングループｐｇ２のチャネル数ｃｈ ｎｕｍは４から３に、又ワークチャネルｗｏｒｋ ｃｈ１はチャネルｃｈ５からｃｈ７に、ｗｏｒｋ ｃｈ２はｃｈ７からｃｈ４に、ｗｏｒｋ ｃｈ３のｃｈ４は０にそれぞれ更新される。
【００５０】
又チャネル情報テーブル７は、チャネルｃｈ４のワークチャネルｗｏｒｋ ｃｈ３からｗｏｒｋ ｃｈ２に、チャネルｃｈ５のプロテクショングループｐｇは、ＰＧ２からＰＧ３にそれぞれ更新され、チャネルｃｈ８のプロテクショングループｐｇはＮＯ ＰＧからＰＧ３に、ワークチャネルｗｏｒｋ ｃｈ１からプロテクションチャネルｐｒｏｔ ｃｈに、又内部チャネルｉｎｔｅｒ ｃｈはｉｃｈ３からプロテクションチャネルｐｒｏｔ ｃｈにそれぞれ更新される。
【００５１】
図１９はプロテクショングループ分割によるセレクタ部の説明図であり、図１８の（Ｂ）のプロテクショングループ情報テーブル６及び（Ｃ）チャネル情報テーブル７を基に、セレクタＳＥＬ２，ＳＥＬ８が制御されて、チャネルｃｈ５，ｃｈ８のグループが形成され、スイッチ回路ＳＷ５は、内部チャネルｉｃｈ５に対して、ｃｈ５をワークチャネルとし、ｃｈ８をプロテクションチャネルとして障害発生時の切替え可能とすることになる。
【００５２】
図２０はプロテクショングループ分割のフローチャートを示し、ユーザからのワークチャネル設定要求により、コマンド入出力部５（図１参照）は、コマンド文法のチェックを行い（Ｄ１）、チェックＯＫの場合、プロテクション情報管理部３により、指定チャネルのエントリ状態をチェックし（Ｄ２）、エントリ情報ｅｎｔ有りの場合は、追加チャネルのプロテクショングループ状態をチェックし（Ｄ３）、追加チャネルにプロテクショングループが設定されていない場合、分割元プロテクショングループの分割後のプロテクションチャネル数をチェックし（Ｄ６）、１以上あれば、プロテクショングループ設定情報を、チャネル情報テーブル７及びプロテクショングループ情報テーブル６に書込む（Ｄ７）。
【００５３】
そして、チャネル情報テーブル７及びプロテクショングループ情報テーブル６の内容を基にハードウェアの設定を行う（Ｄ８）。例えば、図１９に示すセレクタ部の設定を行う。この設定完了により、ユーザへ通知する（Ｄ９）。又コマンド文法チェックＮＧの場合、指定チャネルのエントリ無しの場合、追加チャネルに既にプロテクショングループ設定有りの場合、分割元プロテクショングループの分割後のプロテクションチャネル数が０の場合は、それぞれエラーとしてユーザへ通知する（Ｄ１０）。
【００５４】
本発明は、前述の各実施の形態にのみ限定されるものではなく、種々付加変更することが可能であり、セレクタ１２，１４の機能は、インタフェース部１１，５又はクロスコネクト部１３内に設けることも可能である。又チャネル数８の場合について示すが、更に多数のチャネル数の構成に対しても適用可能である。又プロテクショングループの設定，変更，分割等について、伝送装置を含むネットワークを管理するネットワーク管理装置等から遠隔的に設定制御を行う構成とすることも可能である。
【００５５】
【発明の効果】
以上説明したように、本発明は、単一又は複数のチャネル対応の処理機能を搭載したユニットを複数実装して構成したインタフェース部やクロスコネクト部等に対するプロテクショングループを設定し、このプロテクショングループの情報を、プロテクショングループ情報テーブル６とチャネル情報テーブル７とに格納し、この内容に従ってワークチャネルとプロテクションチャネルとを含むプロテクショングループを形成するもので、ユニット対応の実装チャネル数及びその実装位置に関係なく、任意のプロテクショングループを形成することが可能であり、又その設定，変更，追加等も容易となる利点がある。
【００５６】
又プロテクショングループの状態を、プロテクショングループ情報テーブル６及びチャネル情報テーブル７を参照することにより容易に識別可能となるから、プロテクショングループの追加，分割等の管理を容易に行うことができる利点がある。
【図面の簡単な説明】
【図１】本発明の実施の形態の説明図である。
【図２】テーブルの説明図である。
【図３】テーブル初期値の説明図である。
【図４】セレクタ部の説明図である。
【図５】テーブル書込みの説明図である。
【図６】設定コマンドによるセレクタ部の説明図である。
【図７】本発明の実施の形態の設定処理のフローチャートである。
【図８】１：Ｎの切替種別追加の説明図である。
【図９】１：Ｎの切替種別追加の説明図である。
【図１０】追加設定によるセレクタ部の説明図である。
【図１１】２チャネル構成ユニット実装によるチャネル情報テーブルの説明図である。
【図１２】プロテクショングループ変更の説明図である。
【図１３】プロテクショングループ変更によるセレクタ部の説明図である。
【図１４】プロテクショングループ変更のフローチャートである。
【図１５】チャネル追加の説明図である。
【図１６】チャネル追加によるセレクタ部の説明図である。
【図１７】チャネル追加のフローチャートである。
【図１８】プロテクショングループ分割の説明図である。
【図１９】プロテクショングループ分割によるセレクタ部の説明図である。
【図２０】プロテクショングループ分割のフローチャートである。
【符号の説明】
１  伝送装置の処理部
２  データベース
３  プロテクション情報管理部
４  切替制御部
５  コマンド入出力部
６  プロテクショングループ情報テーブル
７  チャネル情報テーブル
８  プロテクション情報部
１１，１５  インタフェース部（ＩＦ）
１２，１４  セレクタ（ＳＥＬ）
１３  クロスコネクト部（ＸＣ）
【図１】
0003694857.tif 000002
【図２】
0003694857.tif 000003
【図３】
0003694857.tif 000004
【図４】
0003694857.tif 000005
【図５】
0003694857.tif 000006
【図６】
0003694857.tif 000007
【図７】
0003694857.tif 000008
【図８】
0003694857.tif 000009
【図９】
0003694857.tif 000010
【図１０】
0003694857.tif 000011
【図１１】
0003694857.tif 000012
【図１２】
0003694857.tif 000013
【図１３】
0003694857.tif 000014
【図１４】
0003694857.tif 000015
【図１５】
0003694857.tif 000016
【図１６】
0003694857.tif 000017
【図１７】
0003694857.tif 000018
【図１８】
0003694857.tif 000019
【図１９】
0003694857.tif 000020
【図２０】
0003694857.tif 000021